(57)【要約】【課題】制御基板が、電源基板から発生する熱の影響を受けることを抑制する電源装置及び照明器具を提供する。【解決手段】電源装置は、光を照射する光源ユニットに取り付けられ、ボトムケースと、ボトムケースと対向するようにボトムケースを覆うカバーケースとを有し、ボトムケースとカバーケースとの間に中空部が形成された箱形状の電源ケースと、電源ケースの中空部においてボトムケースに取り付けられ、光源ユニットを駆動する電源を供給する電源基板と、電源ケースの中空部において電源基板と対向するようにカバーケースに取り付けられ、光源ユニットを制御し、電源基板から離間して配置される制御基板と、を備える。【選択図】図４
2020177798.tif 000002
【特許請求の範囲】
【請求項１】
光を照射する光源ユニットに取り付けられ、ボトムケースと、前記ボトムケースと対向するように前記ボトムケースを覆うカバーケースとを有し、前記ボトムケースと前記カバーケースとの間に中空部が形成された箱形状の電源ケースと、
前記電源ケースの前記中空部において前記ボトムケースに取り付けられ、前記光源ユニットを駆動する電源を供給する電源基板と、
前記電源ケースの前記中空部において前記電源基板と対向するように前記カバーケースに取り付けられ、前記光源ユニットを制御し、前記電源基板から離間して配置される制御基板と、
を備える電源装置。
【請求項２】
前記電源ケースの前記中空部において前記カバーケースに取り付けられ、前記制御基板を保持する保持部を更に備え、
前記保持部は、
前記制御基板が取り付けられる保持本体部と、
前記保持本体部に接続され、前記保持本体部から前記ボトムケース側に延びて、前記電源基板と前記制御基板との間隔を空ける脚部と、を有する
請求項１記載の電源装置。
【請求項３】
前記脚部は、複数設けられており、
複数の前記脚部の間には、脚開口が形成されている
請求項２記載の電源装置。
【請求項４】
前記保持本体部は、箱形状を有しており、
内面から前記ボトムケース側に突出し、前記制御基板が取り付けられる基板取付部を有する
請求項２又は３記載の電源装置。
【請求項５】
前記保持本体部は、
内面から前記ボトムケース側に前記基板取付部よりも短く突出し、前記制御基板を取り付ける副基板取付部を有する
請求項４記載の電源装置。
【請求項６】
前記カバーケースは、
前記制御基板が取り付けられる底面部と、
前記底面部に接続され、前記底面部から前記ボトムケース側に延びて、前記電源基板と前記制御基板との間隔を空ける側面部と、を有する
請求項１記載の電源装置。
【請求項７】
前記電源ケースの前記中空部において前記ボトムケースに取り付けられ、前記電源基板を収容して前記電源基板を保護する箱形状の保護部を更に備える
請求項１〜６のいずれか１項に記載の電源装置。
【請求項８】
前記電源基板に電源を供給する電線が接続される電源端子台を更に備え、
前記ボトムケースは、
前記電源基板が取り付けられる電源回路取付部と、
前記電源回路取付部に接続され、前記電源端子台が取り付けられる端子台取付部と、を有する
請求項１〜７のいずれか１項に記載の電源装置。
【請求項９】
前記制御基板に送受信される信号が伝搬する信号線が接続される信号端子台を更に備え、
前記信号端子台は、
前記ボトムケースの前記端子台取付部に取り付けられる
請求項８記載の電源装置。
【請求項１０】
前記光源ユニットと、
請求項１〜９のいずれか１項に記載の電源装置と、を備える
照明器具。
【発明の詳細な説明】
【技術分野】
【０００１】
本発明は、光を照射する光源ユニットに取り付けられる電源装置及び照明器具に関する。
【背景技術】
【０００２】
従来、光を照射する光源ユニットと、光源ユニットに電源を供給する電源装置とを備える照明器具が知られている。また、電源装置として、光源ユニットに設けられた光源を点灯する電力を供給する電源基板が電源ケースに収容された電源装置が知られている。特許文献１には、電源基板である回路基板が取り付けられるケースボトムと、ケースボトムに取り付けられ回路基板を覆う一面が開口した箱形状のケーストップとからなる電源ケースを備える照明器具が開示されている。ここで、ケースボトムの内部の寸法は、回路基板の寸法と同等である。
【先行技術文献】
【特許文献】
【０００３】
【特許文献１】特開２０１８−１２９１５６号公報
【発明の概要】
【発明が解決しようとする課題】
【０００４】
しかしながら、特許文献１に開示された照明器具において、回路基板のほかに光源ユニットを制御する制御基板を、電源ケースに収容しようとすると、回路基板と制御基板との距離が近くなる。このため、制御基板が、回路基板から発生する熱の影響を受けるおそれがある。
【０００５】
本発明は、上記のような課題を解決するためになされたもので、制御基板が、電源基板から発生する熱の影響を受けることを抑制する電源装置及び照明器具を提供するものである。
【課題を解決するための手段】
【０００６】
本発明に係る電源装置は、光を照射する光源ユニットに取り付けられ、ボトムケースと、ボトムケースと対向するようにボトムケースを覆うカバーケースとを有し、ボトムケースとカバーケースとの間に中空部が形成された箱形状の電源ケースと、電源ケースの中空部においてボトムケースに取り付けられ、光源ユニットを駆動する電源を供給する電源基板と、電源ケースの中空部において電源基板と対向するようにカバーケースに取り付けられ、光源ユニットを制御し、電源基板から離間して配置される制御基板と、を備える。
【発明の効果】
【０００７】
本発明によれば、制御基板は、電源基板から離間して配置される。このため、制御基板が、電源基板から発生する熱の影響を受けることを抑制することができる。
【図面の簡単な説明】
【０００８】
【図１】実施の形態１に係る照明器具を示す上面斜視図である。
【図２】実施の形態１に係る照明器具を示す下面斜視図である。
【図３】実施の形態１に係る電源装置を示す組立斜視図である。
【図４】実施の形態１に係る電源装置を示す分解斜視図である。
【図５】実施の形態１に係る電源回路部を示す分解斜視図である。
【図６】実施の形態１に係る制御回路部を示す下面分解斜視図である。
【図７】実施の形態１に係る制御回路部を示す上面組立斜視図である。
【図８】実施の形態１に係る制御回路部を示す上面分解斜視図である。
【図９】実施の形態１に係る電源装置の組立図である。
【図１０】実施の形態１に係る電源装置の組立図である。
【図１１】実施の形態１に係る電源装置の組立図である。
【図１２】実施の形態１に係る電源装置の組立図である。
【図１３】実施の形態１に係る電源装置の組立図である。
【図１４】実施の形態１に係る電源装置の背面斜視図である。
【図１５】実施の形態１に係る電源装置の上面図である。
【図１６】実施の形態１に係る電源装置の側面断面図である。
【図１７】実施の形態２に係る制御回路部を示す上面分解斜視図である。
【図１８】実施の形態２に係る保持部のうち一部を省略した斜視図である。
【図１９】実施の形態２に係る信号端子台を示す斜視図である。
【図２０】実施の形態２に係る制御回路部を示す上面組立斜視図である。
【発明を実施するための形態】
【０００９】
以下、実施の形態に係る電源装置及び照明器具の実施の形態について、図面を参照しながら説明する。なお、以下に説明する実施の形態に限定されるものではない。また、図１を含め、以下の図面では各構成部材の大きさの関係が実際のものとは異なる場合がある。また、以下の説明において、理解を容易にするために方向を表す用語を適宜用いるが、これは説明のためのものであって、これらの用語に限定するものではない。方向を表す用語としては、例えば、「上」、「下」、「右」、「左」、「前」又は「後」等が挙げられる。
【００１０】
実施の形態１．
図１は、実施の形態１に係る照明器具１を示す上面斜視図であり、図２は、実施の形態１に係る照明器具１を示す下面斜視図である。図１及び図２に示すように、照明器具１は、例えば、天井等の被取付部２に取り付けられるものであり、照射対象空間に光を照射する。照明器具１は、例えば、被取付部２に形成された開口（図示せず）に埋め込むように取り付けられるダウンライトである。なお、照明器具１は、ダウンライトに限らず、長手方向に延びる長尺状のベースライトとされてもよいし、高天井に設けられる照明装置とされてもよい。照明器具１は、光源ユニット１０と、電源装置１００とを備えている。
【００１１】
（光源ユニット１０）
光源ユニット１０は、例えば被取付部２に形成された開口（図示せず）に埋め込まれており、照射対象空間に光を照射する。図１及び図２に示すように、光源ユニット１０は、発光部１２と、反射部１３と、ヒートシンク１１とを有している。発光部１２は、光を照射する光源（図示せず）と、光源が実装される発光基板（図示せず）と、発光基板が取り付けられるソケット（図示せず）とを有している。反射部１３は、発光部１２を覆う筐体であり、発光部１２から照射された光を反射して照射対象空間に導く。ヒートシンク１１は、反射部１３に取り付けられ、発光部１２から発生する熱を放散する放熱性能が高い材料から構成されている。
【００１２】
（電源装置１００）
図３は、実施の形態１に係る電源装置１００を示す組立斜視図であり、図４は、実施の形態１に係る電源装置１００を示す分解斜視図である。図１及び図２に示すように、電源装置１００は、光源ユニット１０のヒートシンク１１に回転自在に取り付けられている。電源装置１００は、例えば被取付部２に形成された開口をとおって、被取付部２の裏側に形成される空間に配置されている。図３及び図４に示すように、電源装置１００は、電源ケース１１０と、電源回路部１２０と、制御回路部１３０と、電源端子台１４０と、配線部１５０とを備えている。
【００１３】
（電源ケース１１０）
図１〜図４に示すように、電源装置１００の電源ケース１１０は、光源ユニット１０に回転自在に取り付けられた箱形状の筐体であり、電源装置１００の外郭を構成する。図４に示すように、電源ケース１１０は、ボトムケース１１１と、カバーケース１１２とを有し、ボトムケース１１１とカバーケース１１２との間に中空部１１０ａが形成されている。
【００１４】
（ボトムケース１１１）
図４に示すように、ボトムケース１１１は、例えば金属から構成されており、板状の部材を曲げ加工して形成されたものである。ボトムケース１１１は、接続部１１１ｂと、電源回路取付部１１１ａと、端子台取付部１１１ｃとを有している。接続部１１１ｂは、ヒートシンク１１に回転自在に接続されるものであり、接続基部１１１１ａと、接続基部１１１１ａの両端からカバーケース１１２側に延びる接続側部１１１１ｂとを有している。接続側部１１１１ｂがヒートシンク１１に締結部材等によって固定されることにより、接続側部１１１１ｂは回転する。これにより、ボトムケース１１１はヒートシンク１１に対し回転する。
【００１５】
電源回路取付部１１１ａは、接続部１１１ｂに接続され、取付基部１１１２ａと、取付側部１１１２ｂとを有している。取付基部１１１２ａは、接続基部１１１１ａに接続され、電源回路部１２０及び制御回路部１３０が取り付けられる。取付側部１１１２ｂは、取付基部１１１２ａの両端からカバーケース１１２側に延び、カバーケース１１２が取り付けられる。端子台取付部１１１ｃは、電源回路取付部１１１ａの取付基部１１１２ａに接続され、電源端子台１４０が取り付けられる平板状の部材である。
【００１６】
（カバーケース１１２）
図４に示すように、カバーケース１１２は、例えば金属から構成されており、内部に制御回路部１３０が収納される収納部１１２ｆが形成された一面が開口した箱形状の部材である。カバーケース１１２は、ボトムケース１１１と対向するようにボトムケース１１１を覆う。カバーケース１１２は、底面部１１２ａと、側面部１１２ｄと、端面部１１２ｅとを有している。底面部１１２ａは、制御回路部１３０が取り付けられる板状の部材であり、カバー固定穴１１２ｂと、操作用開口１１２ｃと、端子台用開口１１２ｇとが形成されている。
【００１７】
カバー固定穴１１２ｂは、制御回路部１３０と底面部１１２ａとが固定される際に使用されるものである。操作用開口１１２ｃは、制御回路部１３０の制御基板１３１ａに設けられた設定部１３１ｄを露出させ、カバーケース１１２の外側から設定部１３１ｄを操作するために形成されたものである。端子台用開口１１２ｇは、ボトムケース１１１の端子台取付部１１１ｃに取り付けられた電源端子台１４０を操作するために形成されたものである。
【００１８】
側面部１１２ｄは、底面部１１２ａの両側端からボトムケース１１１側に延びる板状の部材であり、ボトムケース１１１の側面を覆う。端面部１１２ｅは、底面部１１２ａからボトムケース１１１側に広がりつつ延びる板状の部材であり、両側の側面部１１２ｄを接続する。端面部１１２ｅの上端部には、配線穴１１２ｈが形成されており、配線穴１１２ｈは、配線部１５０が挿入されるものである。
【００１９】
（電源回路部１２０）
図５は、実施の形態１に係る電源回路部１２０を示す分解斜視図である。図４及び図５に示すように、電源回路部１２０は、ボトムケース１１１とカバーケース１１２との間の中空部１１０ａのうち、ボトムケース１１１側に設けられ、保護部１２２と、電源基板部１２１とを有している。
【００２０】
（保護部１２２）
図５に示すように、保護部１２２は、電源ケース１１０の中空部１１０ａにおいてボトムケース１１１に取り付けられ、電源基板部１２１の電源基板１２１ａを収容して保護する箱形状の部材である。保護部１２２は、電源基板部１２１と周囲の部材のうち特に金属部材とを絶縁するものである。保護部１２２は、絶縁部材が箱形状に折り曲げて形成されており、基板収容部１２２ａと、蓋部１２２ｂとを有している。基板収容部１２２ａは、電源基板部１２１が載置されて収容する一面が開口した箱形状の部材であり、両側面に保護開口１２２ｃが形成されている。保護開口１２２ｃは、電源基板部１２１から発生する熱が保護部１２２内に篭ることを抑制するものであり、一方の保護開口１２２ｃには、電源基板部１２１から延びる電線１５１が挿入される。蓋部１２２ｂは、基板収容部１２２ａの開口を閉じるものである。
【００２１】
（電源基板部１２１）
図５に示すように、電源基板部１２１は、保護部１２２に収容されるものであり、電源基板１２１ａと、点灯部品１２１ｂと、電力入力コネクタ１２１ｃと、信号入力コネクタ１２１ｄと、出力コネクタ１２１ｅとを有している。電源基板１２１ａは、電源ケース１１０の中空部１１０ａにおいてボトムケース１１１に取り付けられ、光源ユニット１０を駆動する電源を制御回路部１３０に供給する板状の部材である。点灯部品１２１ｂは、電源基板１２１ａに実装され、光源ユニット１０を点灯させる部品群である。
【００２２】
電力入力コネクタ１２１ｃは、電源基板１２１ａの一端側に設けられ、電源端子台１４０を介して商用電源（図示せず）から電力の供給を受けるものである。信号入力コネクタ１２１ｄは、電源基板１２１ａにおいて電力入力コネクタ１２１ｃに隣接して設けられ、制御回路部１３０から送信される信号が入力されるものである。出力コネクタ１２１ｅは、電源基板１２１ａの他端側に設けられ、点灯部品１２１ｂによって変換された電力を、配線部１５０を介して光源ユニット１０に出力するものである。
【００２３】
（制御回路部１３０）
図６は、実施の形態１に係る制御回路部１３０を示す下面分解斜視図であり、図７は、実施の形態１に係る制御回路部１３０を示す上面組立斜視図であり、図８は、実施の形態１に係る制御回路部１３０を示す上面分解斜視図である。制御回路部１３０は、無線通信によって外部から送信される信号を受信して、受信した信号を変換して電源回路部１２０に出力するものである。図４に示すように、制御回路部１３０は、ボトムケース１１１とカバーケース１１２との間の中空部１１０ａのうち、カバーケース１１２側に設けられている。図６〜図８に示すように、制御回路部１３０は、保持部１３２と、制御基板部１３１と、を有している。
【００２４】
（保持部１３２）
保持部１３２は、電源ケース１１０の中空部１１０ａにおいてカバーケース１１２に取り付けられ、制御基板部１３１を保持する樹脂製の無線カバーである。図６〜図８に示すように、保持部１３２は、保持本体部１３２ａと、脚部１３２ｂとを有している。
【００２５】
（保持本体部１３２ａ）
図６〜図８に示すように、保持本体部１３２ａは、制御基板部１３１の制御基板１３１ａが取り付けられるものであり、一面が開口した箱形状の部材である。保持本体部１３２ａは、カバーケース１１２の底面部１１２ａ、側面部１１２ｄ及び端面部１１２ｅの形状に沿った形状をなしており、カバーケース１１２の収納部１１２ｆに収納される。保持本体部１３２ａは、基板取付部１３２ｅを有し、保持開口１３２ｃと、保持固定穴１３２ｄとが形成されている。基板取付部１３２ｅは、保持本体部１３２ａの内面からボトムケース１１１側に突出し、締結部材等を用いて制御基板１３１ａが取り付けられるものである。
【００２６】
保持開口１３２ｃは、制御回路部１３０の制御基板１３１ａに設けられた設定部１３１ｄを露出させるものである。保持開口１３２ｃは、保持本体部１３２ａの底面において、カバーケース１１２の操作用開口１１２ｃに対応する位置に形成されている。これにより、ユーザは、カバーケース１１２の外側から、操作用開口１１２ｃ及び保持開口１３２ｃを介して設定部１３１ｄを操作することができる。保持固定穴１３２ｄは、保持本体部１３２ａの底面に形成されており、保持本体部１３２ａがカバーケース１１２の底面部１１２ａに固定される際に使用されるものである。保持固定穴１３２ｄ及びカバー固定穴１１２ｂに締結部材等が挿入されることにより、保持本体部１３２ａがカバーケース１１２の底面部１１２ａに固定される。
【００２７】
（脚部１３２ｂ）
図６〜図８に示すように、脚部１３２ｂは、保持本体部１３２ａの四隅に接続され、保持本体部１３２ａからボトムケース１１１側に延びる４つの部材である。このように、脚部１３２ｂは、複数設けられている。脚部１３２ｂは、保持本体部１３２ａからボトムケース１１１側に延びることにより、電源基板部１２１の電源基板１２１ａと制御基板部１３１の制御基板１３１ａとの間隔を空ける機能を担う。４つの脚部１３２ｂの間には、脚開口１３３が形成されている。これにより、ユーザは、脚開口１３３を介して、保持部１３２の内部を視認することができる。
【００２８】
（制御基板部１３１）
図６〜図８に示すように、制御基板部１３１は、保持部１３２に取り付けられるものであり、外部からの信号を無線で受信する無線制御回路である。制御基板部１３１は、制御基板１３１ａと、アンテナ接続部１３１ｂと、信号変換部１３１ｃと、設定部１３１ｄと、信号出力コネクタ１３１ｅとを有している。制御基板１３１ａは、電源ケース１１０の中空部１１０ａにおいて電源基板１２１ａと対向するようにカバーケース１１２に取り付けられ、光源ユニット１０を制御する板状の部材である。制御基板１３１ａは、前述の如く、脚部１３２ｂが保持本体部１３２ａからボトムケース１１１側に延びることにより、電源基板部１２１の電源基板１２１ａから離間している。
【００２９】
アンテナ接続部１３１ｂは、制御基板１３１ａの一端側に実装され、外部に設けられたアンテナ（図示せず）が接続されるものである。なお、アンテナは、光源ユニット１０の内側の例えば発光部１２のソケットに配置され、アンテナとアンテナ接続部１３１ｂとが、第２の信号線１５３により接続されている。ここで、第２の信号線１５３は、例えば同軸ケーブル等である。なお、アンテナは、制御基板１３１ａ上にパターンとして設けられてもよく、保持部１３２に取り付けられてもよい。また、アンテナは、締結部材等によって取り付けられてもよく、爪等を用いて係合されてもよい。
【００３０】
信号変換部１３１ｃは、制御基板１３１ａの中央付近に実装され、受信した信号を変換するものである。設定部１３１ｄは、制御基板１３１ａにおいて信号変換部１３１ｃに隣接して実装され、光源ユニット１０の制御内容を設定するものである。信号出力コネクタ１３１ｅは、制御基板１３１ａの他端側に実装され、信号変換部１３１ｃによって変換された信号を、電源回路部１２０の信号入力コネクタ１２１ｄに出力するものである。このように、制御基板１３１ａは、信号変換部１３１ｃによって変換された信号を、信号出力コネクタ１３１ｅから第１の信号線１５２を介して電源回路部１２０に出力する。制御基板１３１ａには、基板取付穴１３１ｆが形成されており、基板取付穴１３１ｆは、制御基板１３１ａを保持部１３２に取り付けるために使用されるものである。締結部材等が基板取付穴１３１ｆに挿入され、保持部１３２の基板取付部１３２ｅに取り付けられることにより、制御基板１３１ａが保持部１３２に取り付けられる。
【００３１】
（電源端子台１４０）
図４に示すように、電源端子台１４０は、直方体状をなしており、外部に設けられた商用電源から延びる電源線（図示せず）が接続され、光源ユニット１０に電力を供給するものである。電源端子台１４０は、ボトムケース１１１の端子台取付部１１１ｃに取り付けられる。電源端子台１４０において、電源回路部１２０と対向する対向面１４１には、電線１５１が接続されており、電線１５１を介して、商用電源からの電力が電源基板１２１ａの電力入力コネクタ１２１ｃに供給される。電源端子台１４０において、対向面１４１とは反対側の反対面１４２には、商用電源から延びる電源線（図示せず）が接続されている。
【００３２】
（配線部１５０）
図４に示すように、配線部１５０は、電線１５１と、第１の信号線１５２と、アース線１５４と、第２の信号線１５３とを有している。電線１５１は、電源回路部１２０から光源ユニット１０の発光部１２に電力を供給するものであり、電源端子台１４０を介して電力入力コネクタ１２１ｃと発光部１２とを接続する。第１の信号線１５２は、電源基板１２１ａと制御基板１３１ａとを接続するものである。アース線１５４は、光源ユニット１０と端子台とを接続するものであり、光源ユニット１０を接地する。第２の信号線１５３は、カバーケース１１２の配線穴１１２ｈをとおって光源ユニット１０に引き込まれている。第２の信号線１５３は、光源ユニット１０に設けられたアンテナと、制御回路部１３０のアンテナ接続部１３１ｂとを接続するものであり、信号を伝搬する。なお、アンテナが制御回路部１３０に設けられている場合、第１の信号線１５２及び第２の信号線１５３は省略されてもよい。
【００３３】
（電源装置１００の組立）
図９〜図１３は、実施の形態１に係る電源装置１００の組立図である。次に、電源装置１００が組み立てられる手順について説明する。図９に示すように、先ず、電源基板１２１ａを収納する保護部１２２が、ボトムケース１１１の電源回路取付部１１１ａに取り付けられる。また、電源端子台１４０が、ボトムケース１１１の端子台取付部１１１ｃに取り付けられる。次に、図１０に示すように、信号入力コネクタ１２１ｄに第１の信号線１５２が接続される。そして、電源端子台１４０と電気入力コネクタとが電線１５１で接続される。第２の信号線１５３は、ボトムケース１１１の接続部１１１ｂに取り付けられる。なお、電源端子台１４０、電線１５１及び第２の信号線１５３は、後の工程で接続されてもよい。
【００３４】
図１１に示すように、制御基板部１３１が保持部１３２に取り付けられる。その際、アンテナとアンテナ接続部１３１ｂとが、第２の信号線１５３によって接続される。そして、図１２に示すように、制御回路部１３０が電源回路部１２０を覆うようにボトムケース１１１に取り付けられる。ここで、制御回路部１３０の保持部１３２は脚部１３２ｂを有しているため、制御回路部１３０はボトムケース１１１から立設した状態となっている。ここで、信号出力コネクタ１３１ｅに第１の信号線１５２が接続される。これにより、電源基板１２１ａと制御基板１３１ａとが第１の信号線１５２によって接続される。なお、保持部１３２の幅方向の側面は、保護部１２２によって塞がれる。その後、図１３に示すように、カバーケース１１２が制御回路部１３０を覆うようにボトムケース１１１に取り付けられ、保持部１３２が締結部材によってカバーケース１１２に取り付けられる。
【００３５】
図１４は、実施の形態１に係る電源装置１００の背面斜視図であり、図１５は、実施の形態１に係る電源装置１００の上面図である。図１６は、実施の形態１に係る電源装置１００の側面断面図であり、図１５のＡ−Ａ断面図である。以上説明した組み立ての手順によって、図１４〜図１６に示すように、電源装置１００が組み立てられる。
【００３６】
本実施の形態１によれば、制御基板１３１ａは、電源基板１２１ａから離間して配置される。このため、制御基板１３１ａが、電源基板１２１ａから発生する熱の影響を受けることを抑制することができる。具体的には、電源装置１００は、電源ケース１１０の中空部１１０ａにおいてカバーケース１１２に取り付けられ、制御基板１３１ａを保持する保持部１３２を更に備える。そして、保持部１３２は、制御基板１３１ａが取り付けられる保持本体部１３２ａと、保持本体部１３２ａに接続され、保持本体部１３２ａからボトムケース１１１側に延びて、電源基板１２１ａと制御基板１３１ａとの間隔を空ける脚部１３２ｂと、を有する。このように、脚部１３２ｂが、電源基板１２１ａと制御基板１３１ａとの間隔を空けるため、制御基板１３１ａが電源基板１２１ａから発生する熱の影響を受けることを抑制することができる。
【００３７】
また、脚部１３２ｂには、脚開口１３３が形成されているため、電源基板１２１ａから発生する熱は、脚開口１３３をとおって外部に放散される。従って、保持部１３２の内部に熱が篭ることを抑制することができる。また、脚部１３２ｂには、脚開口１３３が形成されている。このため、制御基板１３１ａが保持部１３２に取り付けられる際に、ユーザは、脚開口１３３をとおして保持部１３２の内部の電線１５１、第１の信号線１５２及び第２の信号線１５３を視認しつつ取り付けることができる。従って、電線１５１、第１の信号線１５２及び第２の信号線１５３が、保持部１３２に挟まれたりすることを抑制することができる。
【００３８】
従来技術において、電源基板１２１ａのほかに光源ユニット１０を制御する制御基板１３１ａが、電源ケース１１０に収容されようとすると、電源装置１００が大きくなってしまう。これに対し、本実施の形態１は、電源装置１００が保持部１３２を有しているため、制御基板１３１ａが電源基板１２１ａと対向した位置に配置される。これにより、電源装置１００が大型化することを抑制することができる。更に、電源装置１００は、保護部１２２と保持部１３２とを有しているため、電源基板１２１ａと制御基板１３１ａとを電源ケース１１０の中空部１１０ａにおいて、それぞれ別個に保護することができる。
【００３９】
なお、本実施の形態１において、保持部１３２がボトムケース１１１に立設するように配置される場合について説明している。しかし、保持部１３２は、電源基板１２１ａに接触すること又は係合すること等によって、直接的にボトムケース１１１に配置されるのではなく、間接的にボトムケース１１１に配置されてもよい。また、電源基板１２１ａに実装される部品と制御基板１３１ａに実装される部品とは、適宜入れ替えられてもよい。電源基板１２１ａは、光源ユニット１０に電力を出力するものであり、制御基板１３１ａは、アンテナからの信号が入力されるものであればよい。
【００４０】
（変形例）
次に、変形例について説明する。変形例では、カバーケース１１２の側面部１１２ｄは、底面部１１２ａからボトムケース１１１側に延びて、電源基板１２１ａと制御基板１３１ａとの間隔を空けるものである。このように、カバーケース１１２の側面部１１２ｄが、電源基板１２１ａと制御基板１３１ａとの間隔を空けるため、実施の形態１と同様に、制御基板１３１ａが電源基板１２１ａから発生する熱の影響を受けることを抑制することができる。更に、カバーケース１１２の側面部１１２ｄが、電源基板１２１ａと制御基板１３１ａとの間隔を空けるため、実施の形態１の保持部１３２の脚部１３２ｂが不要である。
【００４１】
なお、側面部１１２ｄに、実施の形態１の脚開口１３３に相当する開口が形成されていてもよい。この場合、電源基板１２１ａから発生する熱は、開口をとおって外部に放散される。従って、保持部１３２の内部に熱が篭ることを抑制することができる。また、この場合、制御基板１３１ａが保持部１３２に取り付けられる際に、ユーザは、開口をとおして保持部１３２の内部の電線１５１、第１の信号線１５２及び第２の信号線１５３を視認しつつ取り付けることができる。従って、電線１５１、第１の信号線１５２及び第２の信号線１５３が、カバーケース１１２に挟まれたりすることを抑制することができる。
【００４２】
実施の形態２．
図１７は、実施の形態２に係る制御回路部１３０を示す上面分解斜視図であり、図１８は、実施の形態２に係る保持部２００のうち一部を省略した斜視図である。本実施の形態２は、制御基板部２１０が、保持部２００に電線１５１（図示せず）が差し込まれて、外部からの信号を有線で受信する有線制御回路である点で、実施の形態１と相違する。本実施の形態２では、実施の形態１と同一の部分は同一の符号を付して説明を省略し、実施の形態１との相違点を中心に説明する。
【００４３】
（保持部２００）
図１７及び図１８に示すように、保持部２００の保持本体部１３２ａは、副基板取付部２０１を有している。副基板取付部２０１は、保持本体部１３２ａの内面からボトムケース１１１側に基板取付部１３２ｅよりも短く突出し、制御基板２１１を取り付けるものである。
【００４４】
（制御基板部２１０）
本実施の形態２では、前述の如く、制御基板部２１０が、保持部２００に電線１５１（図示せず）が差し込まれて、外部からの信号を有線で受信する有線制御回路である。制御基板部２１０は、信号端子台２６０（図１９参照）に信号線（図示せず）を介して接続され、信号端子台２６０から入力された信号を、電源回路部１２０に入力するものである。図１７に示すように、制御基板部２１０は、制御基板２１１と、マイコン（図示せず）と、信号出力コネクタ１３１ｅと、有線入力部２１２とを有している。
【００４５】
制御基板２１１は、電源ケース１１０の中空部１１０ａにおいて電源基板１２１ａと対向するようにカバーケース１１２に取り付けられ、光源ユニット１０を制御する板状の部材である。マイコンは、制御基板２１１のうち、保持部２００側の面に実装されている。信号出力コネクタ１３１ｅは、制御基板２１１の一端側に実装され、有線入力部２１２に入力された信号を、電源回路部１２０の信号入力コネクタ１２１ｄに出力するものである。
【００４６】
有線入力部２１２は、制御基板２１１の他端側に実装され、信号端子台２６０から信号が入力されるものである。有線入力部２１２は、制御基板２１１において、信号端子台２６０側に設けられている。これにより、有線入力部２１２と信号端子台２６０とが容易に接続される。ここで、信号出力コネクタ１３１ｅ及び有線入力部２１２は、マイコンよりも高さが高い。このため、実施の形態２の有線用の制御基板２１１は、実施の形態１の無線用の制御基板２１１よりも高さが高い。
【００４７】
（信号端子台２６０）
図１９は、実施の形態２に係る信号端子台２６０を示す斜視図である。信号端子台２６０は、制御基板２１１に送受信される信号が伝搬する信号線（図示せず）が接続されるものである。図１９に示すように、信号端子台２６０は、ボトムケース１１１の端子台取付部１１１ｃに取り付けられる。信号端子台２６０は、端子台取付部１１１ｃにおいて、電源端子台１４０に隣接して取り付けられている。なお、信号端子台２６０は、省略されてもよい。
【００４８】
図２０は、実施の形態２に係る制御回路部１３０を示す上面組立斜視図である。図２０に示すように、制御基板２１１が保持部２００に取り付けられる際、副基板取付部２０１を用いて締結部材によって取り付けられる。ここで、副基板取付部２０１は、基板取付部１３２ｅより高さが低い。このため、制御基板２１１が副基板取付部２０１を用いて保持部２００に取り付けられる場合、制御基板２１１が基板取付部１３２ｅを用いて保持部２００に取り付けられる場合よりも、保持部２００の奥側に配置される。従って、制御基板２１１と電源回路部１２０の電源基板１２１ａとの距離が長くなる。これにより、制御基板２１１に、信号出力コネクタ１３１ｅ及び有線入力部２１２といった高さが高い部品が実装されていても、制御基板部２１０を保持部２００に収納することができる。
【００４９】
なお、制御基板２１１に入力される信号は、ＰＷＭ（Ｐｕｌｓｅ  Ｗｉｄｔｈ  Ｍｏｄｕｌａｔｉｏｎ）信号でもよく、ＤＡＬＩ（Ｄｅｇｉｔａｌ  Ａｄｄｒｅｓｓａｂｌｅ  Ｌｉｇｈｔｉｎｇ  Ｉｎｔｅｒｆａｃｅ）信号でもよく、それ以外の信号でもよい。
【符号の説明】
【００５０】
１  照明器具、２  被取付部、１０  光源ユニット、１１  ヒートシンク、１２  発光部、１３  反射部、１００  電源装置、１１０  電源ケース、１１０ａ  中空部、１１１  ボトムケース、１１１ａ  電源回路取付部、１１１ｂ  接続部、１１１ｃ  端子台取付部、１１２  カバーケース、１１２ａ  底面部、１１２ｂ  カバー固定穴、１１２ｃ  操作用開口、１１２ｄ  側面部、１１２ｅ  端面部、１１２ｆ  収納部、１１２ｇ  端子台用開口、１１２ｈ  配線穴、１２０  電源回路部、１２１  電源基板部、１２１ａ  電源基板、１２１ｂ  点灯部品、１２１ｃ  電力入力コネクタ、１２１ｄ  信号入力コネクタ、１２１ｅ  出力コネクタ、１２２  保護部、１２２ａ  基板収容部、１２２ｂ  蓋部、１２２ｃ  保護開口、１３０  制御回路部、１３１  制御基板部、１３１ａ  制御基板、１３１ｂ  アンテナ接続部、１３１ｃ  信号変換部、１３１ｄ  設定部、１３１ｅ  信号出力コネクタ、１３１ｆ  基板取付穴、１３２  保持部、１３２ａ  保持本体部、１３２ｂ  脚部、１３２ｃ  保持開口、１３２ｄ  保持固定穴、１３２ｅ  基板取付部、１３３  脚開口、１４０  電源端子台、１４１  対向面、１４２  反対面、１５０  配線部、１５１  電線、１５２  第１の信号線、１５３  第２の信号線、１５４  アース線、２００  保持部、２０１  副基板取付部、２１０  制御基板部、２１１  制御基板、２１２  有線入力部、２６０  信号端子台、１１１１ａ  接続基部、１１１１ｂ  接続側部、１１１２ａ  取付基部、１１１２ｂ  取付側部。
【図１】
2020177798.tif 000003
【図２】
2020177798.tif 000004
【図３】
2020177798.tif 000005
【図４】
2020177798.tif 000006
【図５】
2020177798.tif 000007
【図６】
2020177798.tif 000008
【図７】
2020177798.tif 000009
【図８】
2020177798.tif 000010
【図９】
2020177798.tif 000011
【図１０】
2020177798.tif 000012
【図１１】
2020177798.tif 000013
【図１２】
2020177798.tif 000014
【図１３】
2020177798.tif 000015
【図１４】
2020177798.tif 000016
【図１５】
2020177798.tif 000017
【図１６】
2020177798.tif 000018
【図１７】
2020177798.tif 000019
【図１８】
2020177798.tif 000020
【図１９】
2020177798.tif 000021
【図２０】
2020177798.tif 000022